(57)【特許請求の範囲】
【請求項１】
電飾物が設けられた前側構成板の裏面側に、演出図柄表示装置を取り付けるための表示部用開口が開口しているセット板を取り付け、上記セット板に、上記電飾物と対向する位置を待機位置として、当該待機位置から上記電飾物と対向しない位置へ移動可能な可動役物が設けられている遊技機であって、
上記前側構成板の裏面側に上記電飾物用の電飾用コネクタを設けると共に、上記セット板の前面側に上記電飾用コネクタと電気的に接続するための中継基板を設け、上記電飾用コネクタと上記中継基板とを配線ケーブルで電気的に接続し、
上記可動役物は、上記待機位置に位置する場合、上記電飾物と対向しない位置に位置する場合に比べ、上記中継基板に接近し、
上記電飾物が設けられた前側構成板の後面に上記セット板を当接し且つ上記可動役物を上記待機位置から他の位置へ移動させた状態では、上記セット板に形成されている表示部用開口から、上記電飾用コネクタと上記中継基板とを上記配線ケーブルで電気的に接続する箇所が観察可能になることを特徴とする遊技機。
【発明の詳細な説明】
【技術分野】
【０００１】
本発明は、パチンコ機に代表される遊技機に関する。
【背景技術】
【０００２】
パチンコ機は、例えば特許文献１や２などに記載のように、装飾物その他が設けられたセル板の裏面側にセット板が取り付けられ、そのセット板の裏側から、液晶装置その他からなる演出図柄表示装置や制御基板を収容したボックス等が取り付けられる。
このとき、セル板に設けられた電飾物用のコネクタを、配線ケーブルによって制御基板と接続する。
【先行技術文献】
【特許文献】
【０００３】
【特許文献１】特許第３６５４４４５号公報
【特許文献２】特許第４３５０６８４号公報
【発明の概要】
【発明が解決しようとする課題】
【０００４】
通常、上記電飾物用のコネクタに一端部を接続した配線ケーブルは、上記セット板に開口した開口から後方に引き出され、その当該配線ケーブルの他端部を、セット板の裏面側に形成された中継基板に接続する。
ここで、近年、セット板には可動役物などが取り付けられるなど当該セット板が大型化してきている。このため、先にセル板に対してセンター装飾物その他の装飾物を設けた後に、そのセル板を裏返し、その裏面側が上方を向いたセル板に対して、上方からセット板を載せて取り付けるといった組付け方法が採用される場合がある。
【０００５】
このとき、上記のようにセル板に取り付けられた電飾用のコネクタに接続した配線ケーブルをセット板に形成したケーブル用の開口から引き出す必要があることから、一人の作業者がセル板の上方でセット板を把持している間に、他の作業者が、上記電飾用のコネクタに接続した配線ケーブルをセット板に形成したケーブル用の開口から引き出す作業を行う必要がある。このように、配線の取り回し作業が手間となっている。
本発明は、上記のような点に着目したもので、より簡易にセット板を組み付け可能な遊技機の構造を提供することを目的とする。
【課題を解決するための手段】
【０００６】
上記課題を解決するために、本発明のうち請求項１に記載した発明は、電飾物が設けられた前側構成板の裏面側に、演出図柄表示装置を取り付けるための表示部用開口が開口しているセット板を取り付ける遊技機であって、
上記前側構成板の裏面側に上記電飾物用の電飾用コネクタを設けると共に、上記セット板の前面に上記電飾用コネクタと電気的に接続するための中継基板を設け、上記電飾用コネクタと上記中継基板とを配線ケーブルで電気的に接続することを特徴とする。
【０００８】
また、請求項１に記載した発明は、上記可動役物は、上記待機位置に位置する場合、上記電飾物と対向しない位置に位置する場合に比べ、上記中継基板に接近し、上記電飾物が設けられた前側構成板の後面に上記セット板を当接した状態では、セット板に形成されている表示部用開口から作業者が手を差し込んで上記電飾用コネクタと上記中継基板とを配線ケーブルで電気的に接続する箇所が観察可能になることを特徴とする。
更に、請求項１に記載した発明は、上記セット板に、上記電飾物と対向する位置を待機位置として、当該待機位置から上記電飾物と対向しない位置へ移動可能な可動役物が設けられている遊技機であって、
上記可動役物を上記待機位置から他の位置へ移動させた状態で、上記電飾用コネクタと上記中継基板とを配線ケーブルで電気的に接続してなることを特徴とする。
【発明の効果】
【０００９】
本発明の請求項１に係る発明によれば、センタ装飾物などが設けられるなど電飾物が設けられた前側構成板の裏面側に対し、相対的にセット板を設置した後に、電飾用コネクタとセット板前面にある中継基板とを、セット板に形成されている表示部用開口から作業者が手を差し込んで配線接続を実施することが可能となる。
この結果、例えば、前側構成板の上にセット板を載せてから、上記配線接続を実施すれば良いため、より簡易にセット板を組み付け可能となる。
【００１０】
さらに、請求項１に係る発明によれば、上記電飾コネクタ若しくは上記中継基板と対向する位置に役物が存在する場合には、表示部用開口から作業者が手を差し込んで配線接続を実施するのが難しい場合も想定されるが、上記役物を可動役物とすることで、当該役物を移動させた状態とすることで、上記配設接続が容易となる。
【図面の簡単な説明】
【００１１】
【図１】本発明に基づく実施形態に係る遊技盤の斜視図である。
【図２】セル板に設けられるセンター装飾物を示す図であって、（ａ）は正面図、（ｂ）は側面図、（ｃ）は裏面図である。
【図３】セット板を示す図であって、（ａ）は正面図、（ｂ）は側面図である。
【図４】昇降役物の機構を示す図であって、（ａ）は待機位置の状態を（ｂ）は下降時の状態をそれぞれ示す。
【図５】セット板を後方から見た分解斜視図である。
【図６】セル板の上にセット板を取付け状態の作業者目線での裏面図である。
【図７】セル板の上にセット板を取付け状態の裏面図である。
【図８】セル板の上にセット板を取付け状態の作業者目線における昇降役物を下降し状態を示す裏面図である。
【図９】セル板の上にセット板を取付け状態における昇降役物を下降し状態を示す図であって、（ａ）は裏面図、（ｂ）はＡ−Ａ断面図である。
【発明を実施するための形態】
【００１２】
次に、本発明の実施形態について図面を参照して説明する。
（遊技盤）
図１は、本実施形態の遊技機の遊技盤を示す斜視図である。
なお、本実施形態の遊技機はパチンコ機である。
図１に示すように、遊技盤２の略中央部には、演出画像を表示することが可能な表示部としての演出図柄表示装置４が設けられている。演出図柄表示装置４は、例えば、液晶ディスプレイ、ＣＲＴ（Ｃａｔｈｏｄｅ  Ｒａｙ  Ｔｕｂｅ）ディスプレイ等の可変表示装置によって構成される。
【００１３】
表示部を構成する演出図柄表示装置４は、図示しないが、互いに独立して演出図柄の変動表示及び停止表示を行うことが可能な複数（例えば４つ）の領域を有している。そして、演出図柄表示装置４では、上記複数の領域で停止表示された演出図柄の組み合わせによって、当たり抽選（特賞抽選）の結果を表示する。
その演出図柄表示装置４の周りには、図２（ａ）に示すようなセンター装飾物８０が配置されており、上記演出図柄表示装置４の上部にある装飾物が、電飾物８０Ａとなっている。
【００１４】
本実施形態では、図３に示すように、その電飾物８０Ａの後方に昇降可能な可動役物である昇降役物８４が配置されている。この昇降役物８４は、図４に示すように、上記電飾物８０Ａの後方を待機位置（初期位置）とし、大当たりなどの際に演出として演出図柄表示装置４の前方略中央部位置まで下降するようになっている。
また、図１に示すように、上記演出図柄表示装置４の右側には普通図柄始動ゲート６が設けられている。普通図柄始動ゲート６は、遊技球が通過するとパチンコ機内部の始動ゲートスイッチ（図示せず）の検出信号により遊技球の入賞を検知し、普通図柄による抽選の契機を与える。
【００１５】
演出図柄表示装置４の下側には第一始動入賞口８ａが設けられ、普通図柄始動ゲート６の下側に第二始動入賞口８ｂが設けられていて、これら両始動入賞口８ａ，８ｂは始動入賞装置８の構成部品である。第一始動入賞口８ａは、常時、遊技球が入賞可能となるように上向きに開口した入賞口（いわゆるヘソ）である。第二始動入賞口８ｂは、入賞確率を変更することが可能な、いわゆる電動チューリップである。第二始動入賞口８ｂは、通常時は、遊技球が入賞することができないように閉止状態であるが、普通図柄による抽選に当選した場合に所定パターンで開放状態となって遊技球が入賞可能な状態となる。
【００１６】
第一始動入賞口８ａに入賞した遊技球は、第一始動入賞口スイッチにより検出され、当たり抽選の契機を与える。また、第二始動入賞口８ｂに入賞した遊技球は、第二始動入賞口スイッチにより検出され、当たり抽選の契機を与える。
第一始動入賞口８ａの右方には大入賞口１２が設けられている。大入賞口１２は通常時は閉止状態であるが、特賞状態が生起されたときに、所定パターンで開放状態となることによって遊技球が入賞可能な状態となる。大入賞口１２に入賞した遊技球は、大入賞口スイッチにより検出され賞球を払い出す契機を与える。
【００１７】
大入賞口１２の下方であって遊技盤２の最下方には、いずれの入賞口にも入賞しなかった遊技球を回収するためのアウト口１６が設けられている。また、演出図柄表示装置４の下方には、左右方向に遊技球を誘導可能なステージ２０が形成され、そのステージ２０の中央部下方に上記第一始動入賞口８ａが設けられている。本実施形態では、その上記第一始動入賞口８ａの下部にも、回転可能な電動役物１８が配設されている。
上記ステージ２０は、その上面が、遊技球が左右方向中央部の溝位置に向けて転動可能なように当該中央部の溝位置に向けて傾斜していると共に、奥側から手前側に向けて遊技球が転動可能なように若干傾斜している。
【００１８】
また、ステージ２０は、ステージ２０の上面の奥側に連続して立ち上がる仕切部２０ａを有し、その仕切部２０ａによって、ステージ２０上面を転動する遊技球が演出図柄表示装置４側へ転動することを抑制している。
上記ステージ２０は、上記演出図柄表示装置４の下方且つ当該演出図柄表示装置４よりも前側に配置されて、当該ステージ２０と上記演出図柄表示装置４の下部との間に、装飾領域Ｘが形成されている。そして、その装飾領域Ｘに対し、不動の加飾物や保留役物などの可動役物その他の装飾物が配置されている。
【００１９】
（構成部品）
上記のような構成の遊技盤は、前面側（遊技者側）から、セル板（前側構成板）と、そのセル板の後側に配置されるセット板８３とを備える。セット板８３の後方には、演出図柄表示装置４や不図示の制御基板等を配置した収容ボックス等が設置される。
上記セル板には、図２に示すようなセンター装飾物８０その他の部品が設けられている。上記センター装飾物８０における上部位置には、電飾物８０Ａが配置されており、その電飾物８０Ａに電気を供給する電飾用コネクタ８１が、図２（ｃ）に示すように、上記センター装飾物８０の裏面側に配置されている。その電飾用コネクタ８１に対して、配線ケーブル８２の一端部８２ａが電気的に接続しており、その配線ケーブル８２は、上記センター装飾物８０の裏面に沿って、後述の中継基板８５近傍に向けて配線されている。
【００２０】
また、上記セット板８３は、図３に示すように、その中央部に、演出図柄表示装置４を取り付けるために表示部用開口８３Ａが開口している。また、セット板８３には、センタ役物の後方に配置される可動役物その他の装飾物などの他の部品が取り付けられている。
本実施形態では、上記セット板８３に設けられている可動役物の一つは、初期位置（待機位置）では、上記電飾物８０Ａの後方に配置された昇降役物８４である。この昇降役物８４は、上記待機位置から、上記表示部用開口８３Ａの前方であって、当該表示部用開口８３Ａの上端部と上下に予め設定した空間が形成される位置まで下降可能となっている。
なお、上記セット板８３には、上記昇降役物８４以外に保留表示用の役物やランプその他が予め取り付けられている。
【００２１】
また、本実施形態のセット板８３の前面における上部（図３では上部左側）には、中継基板８５が設けられていて、その中継基板８５には、図５に示すように、上記電飾用コネクタ８１用の配線ケーブル８２を接続するためのコネクタ部８５ａが形成されている。なお、中継基板８５には不図示の他のコネクタ部を備え、その他のコネクタ部が、例えば不図示の電源側やサブ制御基板側へ接続するようになっている。
【００２２】
なお、図５中、８３ａはリフレクタであり、８３ｂ、８３ｃはリフレクタ８３ａの前面側に組み付けられている意匠部材である。具体的には、８３ｂは意匠デザインがプリントされたものであり、８３ｃが環状の意匠部材となっている。そして、中継基板８５の遊技者側の面に取り付けられたＬＥＤからの光が、リフレクタ８３ａで強められ、８３ｂのプリントされたものを照らす構成となっている。
【００２３】
(組付け作業)
「セル板形成工程」
セル板形成工程では、セル板に対して図２のようなセンター装飾物８０その他の装飾物を設ける。
形成が完了したら、そのセル板をひっくり返して裏面を上方に向けた状態で、セット板取付け工程に搬送する。
【００２４】
「セット板取付け工程」
セット板取付け工程では、センター装飾物８０その他の取付け物が設けられたセル板に対して、図６及び図７に示すように、予め組み立てられている上記構成のセット板８３を上方から載せて取り付ける。その取付け完了後、若しくは仮付けを実施したら、セット板８３に開口されている表示部用開口８３Ａから、作業者は手を差し込んで、電飾用コネクタ８１に接続されている配線ケーブル８２の他端部８２ｂを、中継基板８５のコネクタ部８５ａに差し込んで接続する。
この配設接続の際に、図６のように、上記昇降役物８４が邪魔になるが、セル板にセット板８３を組み付ける前、若しくは組み付けた後に、図８及び図９に示すように、上記昇降役物８４を下方に移動させておいてから、上記配線接続を実施すればよい。この状態では、作業者の目線では図８のように観察でき、容易に配線作業が可能となる。
その後、次工程に搬送する。
【００２５】
次工程では、上記セット板８３の表示部用開口８３Ａに演出図柄表示装置を設置すると共に、制御基板収容ボックスその他の取付け作業を実施する。
ここで、上記実施形態では、セル板の上部に設けた電飾物８０Ａの配線接続を例に挙げて説明しているが、電飾物８０Ａがセル板の側方や下方に存在していても良い。但し、セル板上部に電飾物８０Ａが存在している方が、遊技者から上記配線ケーブル８２を見えなくすることが容易である。
【００２６】
また、上記実施形態では、セル板の上にセット板８３を載せて組み付ける方法で説明しているが、セット板８３の上に上記セル板を載置する組付け方法でも良い。この場合には、セル板中央部の開口から、作業者が手を差し込んで配線接続を実施すればよい。
また、セル板は、上記センター装飾物８０だけから構成されていても良い。
ここで、セル板が前側構成板を構成する。
【００２７】
(本実施形態の効果)
（１）電飾物８０Ａが設けられたセル板の裏面側に、演出図柄表示装置４を取り付けるための表示部用開口８３Ａが開口しているセット板８３を取り付ける遊技機である。上記セル板の裏面側に上記電飾物８０Ａ用の電飾用コネクタ８１を設けると共に、上記セット板８３の前面側に上記電飾用コネクタ８１と電気的に接続するための中継基板８５を設け、上記電飾用コネクタ８１と上記中継基板８５とを配線ケーブル８２で電気的に接続する。
【００２８】
これによって、センター装飾物８０などが設けられるなど電飾物８０Ａが設けられたセル板に対し、相対的にセット板８３を設置した後に、電飾用コネクタ８１とセット板８３前面にある中継基板８５とを、セット板８３に形成されている表示部用開口８３Ａが開口から作業者が手を差し込んで配線接続を実施することが可能となる。
この結果、例えば、セル板の上にセット板８３を載せてから、上記配線接続を実施すれば良いため、より簡易にセット板８３を組み付け可能となる。
【００２９】
（２）上記電飾用コネクタ８１及び中継基板８５は、上記表示部用開口８３Ａの位置よりも上方位置に配置されている。
上記電飾用コネクタ８１及び中継基板８５は、上記図柄演出表示装置４の配置位置よりも上方位置に配置することで、遊技をしている遊技者から上記中継基板８５が分かりに難くする難くし易くなる。
【００３０】
（３）上記セット板８３に、上記電飾用コネクタ８１若しくは上記中継基板８５と対向する位置を待機位置として、当該待機位置から他の位置へ移動可能な可動役物が設けられている。
上記電飾コネクタ若しくは上記中継基板８５と対向する位置に役物が存在する場合には、表示部用開口８３Ａから作業者が手を差し込んで配線接続を実施するのが難しい場合も想定されるが、上記役物を可動役物とすることで、当該役物を移動させた状態とすることで、上記配設接続が容易となる。
【符号の説明】
【００３１】
２     遊技盤
４     演出図柄表示装置
８０   センター装飾物
８０Ａ 電飾物
８１   電飾用コネクタ
８２   配線ケーブル
８３   セット板
８３Ａ 表示部用開口
８４   昇降役物（可動役物）
８５   中継基板
８５ａ コネクタ部
【図１】
0005897264.tif 000002
【図２】
0005897264.tif 000003
【図３】
0005897264.tif 000004
【図４】
0005897264.tif 000005
【図５】
0005897264.tif 000006
【図６】
0005897264.tif 000007
【図７】
0005897264.tif 000008
【図８】
0005897264.tif 000009
【図９】
0005897264.tif 000010